(57)【要約】【課題】従来、簡単で安価なジョイント部材を使用して、重ね餅と飾り小物を簡単、かつ確実に固定したり、交換したりできるものは存在しない。【解決手段】重ね飾り餅の餅容器に飾り物・縁起物を取り付けるための重ね飾り餅用飾り物・縁起物ジョイント部材１にジョイント部材本体２を有し、ジョイント部材本体２の一方の端部に飾り物・縁起物の一つである飾り橙を取り付けるための橙取付部３を設け、重ね飾り餅１４の餅容器１３にジョイント部材本体２をゴム紐１０又は両面接着テープにより取り付ける。【選択図】図１
2007185327.tif 000002
【特許請求の範囲】
【請求項１】
重ね飾り餅の餅容器に飾り物・縁起物を取り付けるための重ね飾り餅用飾り物・縁起物ジョイント部材であって、
ジョイント部材本体を有し、前記ジョイント部材本体の一方の端部には前記飾り物・縁起物の一つである飾り橙を取り付けるための橙取付部を設け、他方の端部には前記ジョイント部材本体を餅容器に取り付けるためのゴム紐を取り付けるゴム紐取付部を設け、
前記橙取付部には、飾り橙の底部に設けた複数の嵌合孔と嵌合させるための複数の突起を一定間隔離して併設し、
前記ゴム紐取付部の両端部には、それぞれゴム紐を引っ掛けるためのゴム紐引掛部を設けると共に、
前記ジョイント部材本体は、前記餅容器の外形形状に合わせて彎曲させ、前記餅容器と反対側の外側面の一部には、他の飾り物・縁起物を引っ掛けて取り付けるための飾り物・縁起物取付部を設けたことを特徴とする重ね飾り餅用飾り物・縁起物ジョイント部材。
【請求項２】
重ね飾り餅の餅容器に飾り物・縁起物を取り付けるための重ね飾り餅用飾り物・縁起物ジョイント部材であって、
ジョイント部材本体を有し、前記ジョイント部材本体の一方の端部に前記飾り物・縁起物の一つである飾り橙を取り付けるための橙取付部を設け、
前記橙取付部には、飾り橙の底部に設けた複数の嵌合孔と嵌合させるための複数の突起を一定間隔離して併設し、
前記ジョイント部材本体は、前記餅容器の外形形状に合わせて彎曲させ、前記餅容器と反対側の外側面の一部には、他の飾り物・縁起物を引っ掛けて取り付けるための飾り物・縁起物取付部を設けると共に、
前記ジョイント部材本体の裏側であって前記餅容器と接する部分には両面接着テープを張り付け、前記両面接着テープによりジョイント部材本体を前記餅容器の外側に張り付けて両者を固定できるようにしたことを特徴とする重ね飾り餅用飾り物・縁起物ジョイント部材。
【請求項３】
前記橙取付部に設けた複数の突起は、それぞれ、突起の先端部から下方向に延びる縦方向の溝を備えると共に、前記突起の径を飾り橙の底部に設けた嵌合孔の径より大きく形成し、前記突起の周囲には、飾り橙の嵌合孔に嵌合させた際に両者の結合が外れ難くなるように肉厚部が設けてあり、
前記突起飾り橙の嵌合孔に嵌合させる際には、前記溝を挟んだ両側の突起片が前記嵌合孔の周囲に押されて溝の内側へ変形し両者の嵌合を容易にするように、前記突起を弾力性に富み、かつ柔軟性のある合成樹脂で構成したことを特徴とする請求項１又は２記載の重ね飾り餅用飾り物・縁起物ジョイント部材。
【請求項４】
重ね飾り餅の餅容器に飾り物・縁起物を取り付けるための重ね飾り餅用飾り物・縁起物ジョイント部材にジョイント部材本体を有し、前記ジョイント部材本体の一方の端部に前記飾り物・縁起物の一つである飾り橙を取り付けるための橙取付部を設け、重ね飾り餅の餅容器に前記ジョイント部材本体をゴム紐又は両面接着テープにより取り付ける構成を有すると共に、
前記橙取付部には、飾り橙に設けた複数の嵌合孔と嵌合させるための複数の突起を一定間隔離して併設した重ね飾り餅用飾り物・縁起物ジョイント部材を使用して重ね飾り餅の餅容器の上に載せて固定する飾り橙であって、
中空状の飾り橙と、葉を模した葉部を突設させて枝柄を模した柄部とからなる蔕部材と、飾り橙本体の外側面に突設した連結突起に被さるように嵌め合わせる連結孔を柄部に、また飾り橙本体に開口形成した嵌合孔に嵌め入れる嵌入ピンを葉部にそれぞれ設けて成る連結手段とを備えると共に、
飾り橙本体の底部に、前記ジョイント部材の橙取付部に設けた複数の突起と嵌合させるための複数の嵌合孔を設け、この嵌合孔の径を、前記ジョイント部材の橙取付部に設けた突起の径より小さくしたことを特徴とする飾り橙。
【発明の詳細な説明】
【技術分野】
【０００１】
本発明は、正月やその他の祝い事、神仏の祭事などに利用可能な重ね飾り餅用飾り物・縁起物ジョイント部材及び前記ジョイント部材を使用して重ね飾り餅の餅容器の上部に飾るための飾り橙に関する。
【背景技術】
【０００２】
(1) ：従来例１
図８は従来例１の説明図（その１）、図９は従来例１の説明図（その２）、図１０は従来例１の説明図（その３）である。以下、図８乃至図１０に基づいて従来例１（特願２００４−３５２２３７）を説明する。
【０００３】
図８乃至図１０において、Ｌ１は連結突起、嵌込相互の間隔、Ｌ２は柄部、嵌入ピン相互の間隔、Ｍはお供え餅、１は飾り果実本体、２は連結突起、３は嵌込孔、１０は蔕部材、１１は柄部、１２は葉部、１５は連結手段、１６は連結孔、１７は嵌入ピン、１８は飾り蔕部を示す。
【０００４】
この発明は、飾り用模擬果実に関するものであり、例えば、ブロー成形された中空の橙色を呈する果実本体に、緑色を呈する葉、枝柄等の蔕部材を取り付け一体化するに際し、複数箇所による凹凸の嵌め合い式とすることで、突部状となる蔕部材部分を摘み上げても飾り果実本体から離反、解体されることなく飾り果実本体と確実、安定的に一体化されている飾り用模擬果実を提供するものである。
【０００５】
前記飾り用模擬果実は、中空状の飾り果実本体１と、葉を模した葉部１２を突設した柄部１１からなる蔕部材１０と、飾り果実本体１の外側面に突設して連結突起２に被さるように嵌め合わせる連結孔１６を柄部１１に、また飾り果実本体１に開口形成した嵌込孔３に嵌め入れる嵌入ピン１７を葉部１２に夫々設けて成る連結手段１５とを備えて成る。
【０００６】
また、飾り果実本体１はブロー成形され、嵌込孔３はブロー成形時の圧縮空気の吹き込み部位として構成することができ、また、柄部１１下端に飾り果実本体１の外側面に当接する飾り蔕部１８をフランジ状に形成して構成することができる。
【０００７】
更には、連結突起２、嵌込孔３相互の間隔Ｌ１と、柄部１１、嵌込ピン１７相互の間隔Ｌ２とが互いに強制的に嵌め合い可能な程度で異なっているものとして構成することができる。
【０００８】
前記飾り用模擬果実にあって、飾り果実本体１の連結突起２に連結孔１６にて嵌め込み、嵌込孔３に嵌入ピン１７を嵌め入れることで飾り果実本体１に取り付けられる蔕部材１０は、飾り果実本体１と複数カ所の嵌め合いで確実に一体化され、例えば。蔕部材１０によって摘まみ上げても飾り果実本体１から分離、解体されない。
【０００９】
飾り果実本体１と蔕部材１０との一体的な取り付け構造は、凹凸の２箇所による嵌め込み、嵌め入れとなって、飾り果実本体１に対して蔕部材１０の相対的な移動をも阻止させ、取り付け状態は確実、安定化させる。連結突起２、嵌込孔３相互の間隔Ｌ１と、柄部１１、嵌入ピン１７相互の間隔Ｌ２との相違は、連結突起２、柄部１１相互、嵌込孔３、嵌入ピン１７相互の強制的に嵌め合わせ、一層強い飾り果実本体１と蔕部材１０との結合を実現させる。
【００１０】
(2) ：従来例２
図１１は従来例２の説明図である。以下、図１１に基づいて従来例２（実願２００５−００３２５１）を説明する。
【００１１】
図１１において、Ｐは餅容器、１は飾り支持具本体、２は装着部、３は伸縮弾性部、４は連結孔、５は装着アーム部、１０Ａは第１連繋手段、１０Ｂは第２連繋手段、２０は飾り果実体、２１は支持筒部、２２は嵌め合い凹部、２５は係止突体、２６は柱部、２７は嵌め合い突条、３０は飾り海老、４０は御幣を示す。
【００１２】
従来例２は、正月、祝い事その他の祭事に際し飾り付けられるお供え餅となる重ね状の飾り餅における各種飾り具、縁起物、例えば飾り果実、飾り海老、御幣等の飾り物を種々に変化させて飾り餅に飾り付けられるようにした飾り餅用飾り支持具に関する。
【００１３】
前記飾り餅用飾り支持具は、飾り餅形状を呈する餅容器Ｐの周囲を巻回して餅容器Ｐに装着される飾り支持具本体１と、餅容器Ｐに飾りつけられる飾り物、縁起物を飾り支持具本体１に連繋する連繋手段１０Ａ、１０Ｂとを備えている。
【００１４】
前記支持具本体１は、餅容器Ｐ周囲に当接する彎曲状の装着部２と、この装着部２端相互間で連繋されている餅容器Ｐに巻回装着されるよう弾性伸縮される伸縮弾性部３と、装着部２から分岐されて餅容器Ｐの上面に至までに伸びた彎曲している装着アーム部５とから成るものとすることができる。
【００１５】
装着アーム部５は、飾り果実体２０を支持するよう餅容器Ｐの頂部部位で二股状に分岐した第１の連繋手段１０Ａ、飾り海老３０、御幣４０等の飾り物を選択的に支持するよう装着アーム部５自体の半ば位置で突片状に形成した第２の連繋手段１０Ｂの少なくともいずれか一方を備えているものとすることができる。
【００１６】
第１の連繋手段１０Ａに連繋する飾り果実体２０は、二股分岐部分内にスライド係止する係止突体２５を底部に出没自在に設けることで構成することができる。第２の連繋手段１０Ｂに選択的に連繋する飾り物３０、４０は、突片に係止する係止手段（凹所、紐材、クリップ材等）を設けることで構成することができる。
【００１７】
また、より具体的には、飾り餅形状を呈する餅容器Ｐの周囲を巻回して餅容器Ｐに装着される飾り支持具本体１と、餅容器Ｐに飾り付けられる飾り物（２０、３０、４０）を飾り支持具本体１に連繋する連繋手段１０Ａ、１０Ｂとを備え、飾り支持具本体１は、餅容器Ｐ周囲に当接する彎曲状の装着部２と、この装着部２端相互間で連繋されて餅容器Ｐに巻回装着されるよう弾性伸縮される伸縮弾性体３と、装着部２から分岐されて餅容器Ｐの上面に至るまでに伸びた彎曲している装着アーム部５とから成り、装着アーム部５は、餅容器Ｐの頂部部位で二股状に分岐されることで飾り果実体２０を連繋する第１の連繋手段１０Ａ、飾り海老３０、御幣４０等の飾り物を選択的に連繋するよう装着アーム部５自体の半ば位置で突片状に形成した第２の連繋手段１０Ｂの少なくともいずれか一方を備えていると共に、第１の連繋手段１０Ａに連繋する飾り果実体２０は、二股分岐部分内にスライド係止する係止突体２５を底部に出没自在に設けてあり、第２の連繋手段１０Ｂに選択的に連繋する飾り物３０、４０は、突片に係止する係止手段（凹所、紐材、クリップ材等）を設けてあるものである。
【００１８】
以上のように構成された飾り餅用飾り支持具にあって、餅容器Ｐの周囲を巻回する飾り餅用飾り支持具本体１は餅容器Ｐに装着されることで、その連繋手段１０Ａ、１０Ｂによって飾り果実体２０、飾り海老３０、御幣４０等の各種の飾り物、縁起物を餅容器Ｐに飾り付けさせる。
【００１９】
(3) ：従来例３
以下、特許文献１を従来例３として説明する。
【００２０】
従来例３は、飾り果実に関するものであり、餅若しくは疑似餅を重ね餅に載置する飾り果実であって、合成樹脂製の果実本体の頂部に合成樹脂製の柄を突出状態に設け、前記果実本体は中空で且つ頂部に前記柄が挿入される挿入孔が設けられ、一方、柄は上端と下端との途中に挿入規制部が設けられ、この柄の挿入規制部の下側を前記挿入孔に挿入する際、該柄の挿入規制部より上側を摘持できる摘持部とし、挿入規制部が蔕であることを特徴とする飾り果実に関するものである。
【００２１】
(4) ：従来例４
以下、特許文献２を従来例４として説明する。
【００２２】
従来例４は、飾り用模擬果実及びその製造方法に関するものであり、写実性に富み、リアル感に溢れ、重量感、質感も良好なものとし、また成形時におけるバリ等の発生も少なく、外部からの外力、衝撃等によっても凹むこともなく、保形性に優れ、取り扱いも容易であるようにするというものである。
【００２３】
(5) ：従来例５
以下、特許文献３を従来例５として説明する。
【００２４】
従来例５は、飾り重ね餅に関するものである。本実施例としては、プラスチック製の重ね餅形状に形成した容器１の下部に餅詰入孔を設け、この容器内に餅を充填して詰入し、この餅を詰入した重ね餅Ａの上部にプラスチック製の前記重ね餅Ａの上部重ね餅Ａ’より小さくしたミカン形状にしてミカン肌とミカン色を表現して重ね果実を接着剤で付設した飾り重ね飾り餅に係るものである。
【特許文献１】特許第３０１０２８６号公報
【特許文献２】特開２００４−３４５３５号公報
【特許文献３】特許第２９３４８７３号公報
【発明の開示】
【発明が解決しようとする課題】
【００２５】
(1) ：従来例１は、お供え餅の上に飾る飾り用模擬果実に関するものであり、単に、お供え餅の上に載せるだけのものである。すなわち、従来例１ではお供え餅と飾り用模擬果実は固定されておらず、不安定な状態である。
【００２６】
(2) ：従来例２は正月、祝い事その他の祭事に際し飾り付けられるお供え餅となる重ね状の飾り餅における各種飾り具、縁起物、例えば飾り果実、飾り海老、御幣等の飾り物を種々に変化させて飾り餅に飾り付けられるようにした飾り餅用飾り支持具に関するものである。
【００２７】
しかし、従来例２の飾り餅用飾り支持具は複雑な構成であり、製作に手間や時間がかかっておりコストも高くなるという課題があった。更に、飾り果実は連繋手段にスライド係止する係止突体を底部に出没自在に設けてあるため、取り付けも確実にできず、この点でも複雑な構成でコストが高くなるという課題があった。
【００２８】
(3) ：その他の従来例も含めて、従来、簡単で安価な部材を使用して、重ね飾り餅と飾り物・縁起物を簡単、かつ確実に固定したり、或いは交換したりできるものは存在しなかった。
【００２９】
本発明は前記課題を解決するためになされたものであり、安価で簡単な構造のジョイント部材を用いることにより、重ね飾り餅に対し、飾り橙、飾り海老、御幣その他の飾り物・縁起物を適宜組み合わせて取り付けることが可能で、その取り付けや交換も極めて容易で汎用性のあるものとし、更にジョイント部材を簡単な構成で、安価に構成すると共に、飾り橙の構造を改善することで、飾り橙の取り付けも簡単かつ、確実にできるようにすることを目的とする。
【課題を解決するための手段】
【００３０】
本発明は前記の目的を達成するため、次のように構成した。
【００３１】
(1) ：重ね飾り餅の餅容器に飾り物・縁起物を取り付けるための重ね飾り餅用飾り物・縁起物ジョイント部材であって、ジョイント部材本体を有し、前記ジョイント部材本体の一方の端部には前記飾り物・縁起物の一つである飾り橙を取り付けるための橙取付部を設け、他方の端部には前記ジョイント部材本体を餅容器に取り付けるためのゴム紐を取り付けるゴム紐取付部を設け、前記橙取付部には、飾り橙の底部に設けた複数（例えば、２つ）の嵌合孔と嵌合させるための複数（例えば、２つ）の突起を一定間隔離して併設し、前記ゴム紐取付部の両端部には、それぞれゴム紐を引っ掛けるためのゴム紐引掛部を設けると共に、前記ジョイント部材本体は、前記餅容器の外形形状に合わせて彎曲させ、前記餅容器と反対側の外側面の一部には、他の飾り物・縁起物を引っ掛けて取り付けるための飾り物・縁起物取付部を設けたことを特徴とする。
【００３２】
(2) ：重ね飾り餅の餅容器に飾り物・縁起物を取り付けるための重ね飾り餅用飾り物・縁起物ジョイント部材であって、ジョイント部材本体を有し、前記ジョイント部材本体の一方の端部に前記飾り物・縁起物の一つである飾り橙を取り付けるための橙取付部を設け、前記橙取付部には、飾り橙の底部に設けた複数（例えは、２つ）の嵌合孔と嵌合させるための複数（例えば、２つ）の突起を一定間隔離して併設し、前記ジョイント部材本体は、前記餅容器の外形形状に合わせて彎曲させ、前記餅容器と反対側の外側面の一部には、他の飾り物・縁起物を引っ掛けて取り付けるための飾り物・縁起物取付部を設けると共に、前記ジョイント部材本体の裏側であって前記餅容器と接する部分には両面接着テープを張り付け、前記両面接着テープによりジョイント部材本体を前記餅容器の外側に張り付けて両者を固定できるようにしたことを特徴とする。
【００３３】
(3) ：前記(1) 又は(2) の重ね飾り餅用飾り物・縁起物ジョイント部材において、前記橙取付部に設けた複数の突起は、それぞれ、突起の先端部から下方向に延びる縦方向の溝を備えると共に、前記突起の径を飾り橙の底部に設けた嵌合孔の径より大きく形成し、前記突起の周囲には、飾り橙の嵌合孔に嵌合させた際に両者の結合が外れ難くなるように肉厚部が設けてあり、前記突起飾り橙の嵌合孔に嵌合させる際には、前記溝を挟んだ両側の突起片が前記嵌合孔の周囲に押されて溝の内側へ変形し両者の嵌合を容易にするように、前記突起を弾力性に富み、かつ柔軟性のある合成樹脂で構成したことを特徴とする。
【００３４】
(4) ：重ね飾り餅の餅容器に飾り物・縁起物を取り付けるための重ね飾り餅用飾り物・縁起物ジョイント部材にジョイント部材本体を有し、前記ジョイント部材本体の一方の端部に前記飾り物・縁起物の一つである飾り橙を取り付けるための橙取付部を設け、重ね飾り餅の餅容器に前記ジョイント部材本体をゴム紐又は両面接着テープにより取り付ける構成を有すると共に、前記橙取付部には、飾り橙に設けた複数（例えば、２つ）の嵌合孔と嵌合させるための複数（例えば、２つ）の突起を一定間隔離して併設した重ね飾り餅用飾り物・縁起物ジョイント部材を使用して重ね飾り餅の餅容器の上に載せて固定する飾り橙であって、中空状の飾り橙と、葉を模した葉部を突設させて枝柄を模した柄部とからなる蔕部材と、飾り橙本体の外側面に突設した連結突起に被さるように嵌め合わせる連結孔を柄部に、また飾り橙本体に開口形成した嵌合孔に嵌め入れる嵌入ピンを葉部にそれぞれ設けて成る連結手段とを備えると共に、飾り橙本体の底部に、前記ジョイント部材の橙取付部に設けた複数の突起と嵌合させるための複数の嵌合孔を設け、この嵌合孔の径を、前記ジョイント部材の橙取付部に設けた突起の径より小さくしたことを特徴とする。
【００３５】
（作用）
以下、前記構成に基づく本発明の作用を説明する。
【００３６】
(a) ：前記(1) の作用
前記(1) では、飾り付けを行う際には、ジョイント部材を用いて重ね飾り餅に飾り物・縁起物を取り付け、飾り付けを完成させる。この場合、先ず、ジョイント部材のゴム紐取付部に設けたゴム紐引掛部にゴム紐を引っ掛ける。そして、ゴム紐を延ばして、予め用意した重ね飾り餅の餅容器の重ね部分にできた周方向の窪み部分（凹部）にゴム紐を嵌める。
【００３７】
このようにすると、ゴム紐を使用して簡単かつ確実に重ね飾り餅の餅容器にジョイント部材が固定される。この状態から、ジョイント部材の橙取付部の弾力性と柔軟性のある突起に飾り橙本体の下部に設けた２つの嵌合孔に圧入する。この時、突起の外形寸法は、飾り橙本体に設けた２つの嵌合孔の内径寸法より少し大きめに形成しておくと、両者の結合時には、突起に設けた溝の両側にある２つの突起片が溝内方向に彎曲するから、ジョイント部材の橙取付部の突起を飾り橙本体の下部に設けた２つの嵌合孔に圧入することが容易にできる。
【００３８】
そして、圧入した後は、彎曲していた突起７の各突起片が溝の外側へ広がり、元の形状に復帰し、突起の肉厚部の下側が嵌合孔の内側に引っ掛かって両者は強固に結合した状態を保てる。次に、ジョイント部材の飾り物・縁起物取付部に、御幣の孔を引っ掛けると共に、飾り海老の孔を引っ掛けると、飾り付けが完成する。
【００３９】
このようにすれば、重ね飾り餅に対し、飾り橙、飾り海老、御幣その他の飾り物・縁起物を適宜組み合わせて取り付けることが可能で、その取り付けや交換も極めて容易で汎用性のあるものとし、更に突起も含めてジョイント部材全体を簡単な構成で、弾力性に富み、かつ柔軟性のある合成樹脂で安価に構成すると共に、飾り橙の構造を改善することで、飾り橙の取り付けも簡単かつ、確実にできる。
【００４０】
(b) ：前記(2) の作用
前記(2) では、ジョイント部材本体の裏側であって餅容器と接する部分には両面接着テープを張り付け、両面接着テープによりジョイント部材本体を餅容器の外側に張り付けて両者を固定できる。このように、前記(1) のゴム紐の代わりに両面接着テープを使用して餅容器にジョイント部材を張り付けることで、前記(1) の場合と同じように、餅容器にジョイント部材を簡単に張り付けることができる。
【００４１】
このようにすれば、重ね飾り餅に対し、飾り橙、飾り海老、御幣その他の飾り物・縁起物を適宜組み合わせて取り付けることが可能で、その取り付けや交換も極めて容易で汎用性のあるものとし、更に、突起も含めてジョイント部材全体を簡単な構成で、弾力性に富み、かつ柔軟性のある合成樹脂で構成し、安価に構成すると共に、飾り橙の構造を改善することで、飾り橙の取り付けも簡単かつ、確実にできる。
【００４２】
(c) ：前記(3) の作用
前記(1) 又は(2) では、橙取付部に設けた複数の突起はそれぞれ突起の先端部から下方向に延びる縦方向の溝を備えると共に、突起の径を飾り橙の底部に設けた嵌合孔の径より大きく形成し、突起の周囲には飾り橙の嵌合孔に嵌合させた際に両者の結合が外れ難くなるように肉厚部が設けてあり、突起を飾り橙の嵌合孔に嵌合させる際には、溝を挟んだ両側の突起片が前記嵌合孔の周囲に押されて溝の内側へ変形し両者の嵌合を容易にする。また、両者の嵌合を取り外す場合は、飾り橙をジョイント部材に対して強く引けば、前記突起片が溝内方向に変形し、両者の嵌合を外すことも簡単にできる。
【００４３】
このようにすれば、重ね飾り餅に対し、ジョイント部材を用いて飾り橙を確実に飾りつけることが可能で、その取り外し、交換等も極めて容易で汎用性のあるものにできる。
【００４４】
(d) ：前記(4) の作用
前記(4) では、中空状の飾り橙と、葉を模した葉部を突設させて枝柄を模した柄部とからなる蔕部材と、飾り橙本体の外側面に突設した連結突起に被さるように嵌め合わせる連結孔を柄部に、また飾り橙本体に開口形成した嵌合孔に嵌め入れる嵌入ピンを葉部にそれぞれ設けて成る連結手段とを備えると共に、飾り橙本体の底部に、ジョイント部材の橙取付部に設けた複数の突起と嵌合させるための複数の嵌合孔を設け、この嵌合孔の径を、前記ジョイント部材の橙取付部に設けた突起の径より小さくしている。
【００４５】
このようにすれば、重ね飾り餅に対し、ジョイント部材を用いて飾り橙を確実に飾りつけることが可能で、その取り外し、交換等も極めて容易で汎用性のあるものにできる。
【発明の効果】
【００４６】
本発明は、前記の構成により次のような効果がある。
【００４７】
１．前記(1) 、(2) のジョイント部材を用いれば、ジョイント部材は、ゴム紐又は両面接着テープのような安価で簡単な構成の部材を使用して簡単かつ確実に重ね飾り餅の餅容器に固定される。また、重ね飾り餅に対し、飾り橙、飾り海老、御幣その他の飾り物・縁起物を適宜組み合わせて取り付けることが可能で、その取り付けや交換も極めて容易で汎用性のあるものとし、更に、突起も含めてジョイント部材全体を簡単な構成で、弾力性に富み、かつ柔軟性のある合成樹脂で構成し、安価に構成すると共に、飾り橙の構造を改善することで、飾り橙の取り付けも簡単かつ確実にできる。
【００４８】
２．前記(3) のジョイント部材を用いれば、更に、重ね飾り餅に対し、ジョイント部材を用いて飾り橙を確実に飾りつけることが可能で、その取り外し、交換等も極めて容易で汎用性のあるものにできる効果がある。
【００４９】
３．前記(4) の飾り橙によれば、更に、重ね飾り餅に対し、ジョイント部材を用いて飾り橙を確実に飾りつけることが可能で、その取り外し、交換等も極めて容易で汎用性のあるものにできる効果がある。
【発明を実施するための最良の形態】
【００５０】
本発明は、正月やその他の祝い事、神仏の祭事などに利用可能な重ね飾り餅に飾り物・縁起物（橙、飾り海老、御幣等）を取り付けるためのジョイント部材及び前記ジョイント部材を使用して重ね飾り餅の餅容器の上部に飾るための飾り橙に関するものであり、その具体例について、図１乃至図７を参照しながら、以下詳細に説明する。
【００５１】
図１乃至図７において、１はジョイント部材、２はジョイント部材本体、３は橙取付部、４はゴム紐取付部、５は飾り物・縁起物取付部、７は突起、８は溝、９はゴム紐引掛部、１０はゴム紐、１３は餅容器、１４は重ね飾り餅、１５は窪み、１８は飾り橙本体、２０は柄部、２１は葉部、２２は嵌合孔、２５は飾り海老、２６は御幣を示す。
【００５２】
（例１の説明）
§１：全体構成の説明
図１は例１の全体構成説明図であり、Ａ図は組み立て前の重ね飾り餅の餅容器と飾り物・縁起物を斜視図で示した図、Ｂ図はジョイント部材で餅容器に飾り物・縁起物を取り付けた図を示す。例１は、重ね飾り餅の餅容器に飾り物・縁起物を取り付けるためのジョイント部材１にゴム紐を使用した例である。
【００５３】
従来から正月やお祝い事などに際し、重ね飾り餅が用いられており、その飾りには大小の円形状のお供え餅を２段に重ね、その上に橙等の果実を飾りに置いたり、縁起物の飾り海老、御幣等を取り付けている。その飾りのための果実代用品として、前記従来例１に示したような飾り果実が提案されている。
【００５４】
これは合成樹脂製の中空な果実本体の頂部に柄や葉を取り付け、あたかも実際の飾り果実用の趣を呈するようになるというものである。この飾り果実として、本発明では橙の飾り果実、すなわち、飾り橙を用いるが、前記従来例１の飾り果実と同じ方法で製作された同じような構造のもの（中空の合成樹脂製の飾り橙）を使用する。
【００５５】
図１に示したように、ジョイント部材１にはジョイント部材本体２を有し、このジョイント部材本体２の一方の端部に橙取付部３を設け、他方の端部にゴム紐取付部４を形成すると共に、前記橙取付部３とゴム紐取付部４との間に飾りもの・縁起物取付部５を設け、これら各部を一体的に形成したものである。なお、前記突起７を含めた橙取付部３とゴム紐取付部４を含むジョイント部材１は、例えば、ＡＢＳ樹脂により一体的に成形され、柔軟性と弾力性を備えている。
【００５６】
更に、橙取付部３には、複数本（この例では、２つ）の突起７が一体的に形成されており、それぞれの突起７には中央部に縦方向の溝８が形成されている。この溝８は、突起７に弾性変形し易くするためのものであり、突起７の外側には肉厚部が形成されている。
【００５７】
また、ゴム紐取付部４はジョイント部材本体２の長手方向に対して直角方向に延びており、その両端部にはゴム紐１０を引っ掛けるためのゴム紐引掛部９が設けてある。また、ジョイント部材１はジョイント部材本体２のほぼ中央部付近が、餅容器１３の外形形状に合わせて彎曲させていて、その外側の一部には飾り物・縁起物取付部５が設けてある。また、御幣２６や飾り海老２５の裏側には、飾り物・縁起物取付部５に引っ掛けるための孔が設けてある（この点は、従来例２と同じなので、従来例２を参照）。
【００５８】
飾り橙は、飾り橙本体１８と、この飾り橙本体１８の上部に取り付けられた柄部２０、葉部２１を取り付けると共に、下部には、ジョイント部材１に取り付けるための複数（この例では２つ）の嵌合孔２２が設けてある。この嵌合孔２２は一定間隔離して設けられている。
【００５９】
以上の構成をまとめると次のようになる。すなわち、重ね飾り餅の餅容器に飾り物・縁起物を取り付けるための重ね飾り餅用飾り物・縁起物ジョイント部材であって、ジョイント部材本体２を有し、ジョイント部材本体２の一方の端部には飾り物・縁起物の一つである飾り橙を取り付けるための橙取付部３を設け、他方の端部にはジョイント部材本体２を餅容器１３に取り付けるためのゴム紐１０を取り付けるゴム紐取付部４を設け、橙取付部３には、飾り橙の底部に設けた複数（例えば、２つ）の嵌合孔と嵌合させるための複数（例えば、２つ）の突起７を一定間隔離して併設してある。
【００６０】
また、ゴム紐取付部４の両端部には、それぞれゴム紐１０を引っ掛けるためのゴム紐引掛部９を設けると共に、ジョイント部材本体２は、餅容器１３の外形形状に合わせて彎曲させ、餅容器１３と反対側の外側面の一部には、他の飾り物・縁起物を引っ掛けて取り付けるための飾り物・縁起物取付部５を設けてある。
【００６１】
また、橙取付部３に設けた複数の突起７は、それぞれ、突起７の先端部から下方向に延びる縦方向の溝８を備えると共に、突起７の径を飾り橙の底部に設けた嵌合孔２２の径より大きく形成し、突起７の周囲には、飾り橙の嵌合孔２２に嵌合させた際に両者の結合が外れ難くなるように肉厚部が設けてあり、突起７を飾り橙の嵌合孔２２に嵌合させる際には、溝８を挟んだ両側の突起片が嵌合孔２２の周囲に押されて溝８の内側へ変形し両者の嵌合を容易にするように、突起７を弾力性に富み、かつ柔軟性のある合成樹脂の一体成形（例えば、ＡＢＳ樹脂の一体成形）で構成している。
【００６２】
また、ジョイント部材本体２のゴム紐取付部４は、餅容器１３の１段目の餅と２段目の餅の境界領域において形成された周方向の窪み（又は凹部）に当接するように構成し、餅容器１３の外側から中心部方向へ押す力が働くように、柔軟性と弾力性のある樹脂（ＡＢＳ樹脂等）で構成されている。この場合、当接する部分のゴム紐取付部４には、餅容器１３の形状に合わせてＲを付けてあり（丸みを持たせてあり）、ゴム紐取付部４と餅容器１３が密着するように構成されている。
【００６３】
飾り付けを行う際には、ジョイント部材１を用いて重ね飾り餅に飾り物・縁起物を取り付け、飾り付けを完成させる。すなわち、ジョイント部材１を用い飾り物・縁起物を取り付けるが、先ず、ジョイント部材１のゴム紐取付部４に設けたゴム紐引掛部９にゴム紐１０を引っ掛ける。そして、ゴム紐１０を延ばして、予め用意した重ね飾り餅の餅容器１３の重ね部分にできた周方向の窪み部分（凹部）に前記ゴム紐１０を嵌める。
【００６４】
このようにすると、重ね飾り餅の餅容器１３にジョイント部材１が固定される。この状態から、ジョイント部材１の橙取付部３の突起７に飾り橙本体１８の下部に設けた２つの嵌合孔２２に圧入する。この時、突起７の外形寸法は、飾り橙本体１８に設けた２つの嵌合孔２２の内径寸法より少し大きめに形成しておくと、両者の結合時には、突起７の溝８を挟んだ両側の突起片が溝８内方向に彎曲するから、ジョイント部材１の橙取付部２の突起７を飾り橙本体１８の下部に設けた２つの嵌合孔２２に簡単に圧入することが可能である。
【００６５】
そして、圧入した後は、彎曲していた突起７の各突起片が溝８の外側へ広がり、元の形状に復帰し、突起７の肉厚部の下側が嵌合孔２２の内側に引っ掛かって両者は強固に結合した状態を保てる。次に、ジョイント部材１の飾り物・縁起物取付部５に、御幣２６の孔を引っ掛けると共に、飾り海老２５の孔を引っ掛けると、図１のＢ図に示したように飾り付けが完成する。
【００６６】
§２：例１における各部の詳細な説明
(1) ：ジョイント部材１の詳細な説明
図２は例１のジョイント部材の説明図（その１）である。以下、図２に基づいてジョイント部材を更に詳細に説明する。
【００６７】
ジョイント部材１は、重ね飾り餅の最上段の餅の餅容器１３に密着するように、彎曲して製作されている。そして、ジョイント部材１をゴム紐１０により餅容器１３に固定すると、餅容器１３に密着し、橙取付部３が最上段の餅の餅容器１３のほぼ中央部に位置するように構成されている。
【００６８】
従って、ジョイント部材１を重ね飾り餅の最上段の餅の餅容器１３にゴム紐１０により固定すると、その上から飾り橙の嵌合孔２２と、ジョイント部材１の突起７とを圧入し、両者を確実に嵌合することが容易にでき、ジョイント部材１による飾り橙本体１８と餅容器１３とのジョイントが確実にできる。なお、飾り橙は、ポリエチレン又はポリプロピレン樹脂を材料として用い、ブロー成形により中空の飾り橙として製作される。
【００６９】
(2) ：ジョイント部材を隠した状態の説明
図３は例１のジョイント部材の説明図（その２）であり、Ａ図は飾り海老を飾った状態の図、Ｂ図は御幣を飾った状態の図である。
【００７０】
前記のようにして、ジョイント部材１による飾り橙と餅容器１３とのジョイントを行い、その後、飾り海老２５の裏側に設けた孔をジョイント部材１に設けた飾り物・縁起物取付部５に引っ掛けると、図３のＡ図に示したようになり、外部からはジョイント部材１が殆ど見えなくなる。
【００７１】
また、飾り海老２５のかわりに、御幣２６に設けた孔をジョイント部材１に設けた飾り物・縁起物取付部５に引っ掛けると、図３のＢ図に示したようになり、外部からはジョイント部材１が殆ど見えなくなる。このようにして実質的に、ジョイント部材１を飾り小物により隠すことができる。
【００７２】
(3) ：各部の詳細構造の説明
図４は例１の各部の詳細構成図であり、Ａ図は詳細構成図１、Ｂ図は詳細構成図２、Ｃ図は詳細構成図３である。
【００７３】
(a) ：飾り橙の断面は図４のＡ図のようになっている。この飾り橙は図１に示した飾り橙と同じであり、ポリエチレン又はポリプロピレン樹脂により本物の橙と同じ外観を有するように合成樹脂のブロー成形で製作されている。この飾り橙本体１８の下側には、一定距離だけ離して２つの嵌合孔２２が設けてある。嵌合孔２２の間隔は、ジョイント部材１に設けた橙取付部３の複数（この例では、２つ）の突起７の間隔に合わせた距離だけ離して製作してある。
【００７４】
(b) ：ジョイント部材１は図４のＢ図のようになっており、(a) はジョイント部材１の平面図であり、(b) は(a) のＸ方向から見た図である。
【００７５】
橙取付部３には、複数本（この例では、２本）の突起７が一体的に形成されており、それぞれの突起７は、縦方向の中央部に溝８が形成され、その溝８の両側には２つの突起片が形成されている（突起７は、溝８とその両側の突起片を有する）。この溝８は、突起７に弾性変形し易くするためのものであり、突起７の外側には、外側へ膨らんだ肉厚部が形成されている。
【００７６】
また、ゴム紐取付部４は、ジョイント部材本体２の長手方向に対して直角方向に延びており、その両端部にはゴム紐１０を引っ掛けるためのゴム紐引掛部９が設けてある。また、ジョイント部材１はジョイント部材本体２のほぼ中央部付近が、餅容器１３の外形形状に密着するような形状に彎曲して形成されていて、その外側の一部には、飾り物・縁起物取付部５が設けてある。
【００７７】
(c) ：前記ジョイント部材１を側面から見ると、図４のＣ図のようになっている。この形状から分かるように、ジョイント部材１は、重ね飾り餅の最上段の餅に対応した餅容器１３の部分に密着するように彎曲して製作されている。そして、ジョイント部材１をゴム紐１０により餅容器１３に固定すると、餅容器１３に密着し、橙取付部３が最上段の餅に対応した餅容器１３の部分に位置するように構成されている。
【００７８】
（例２の説明）
§１：全体構成の説明
図５は例２の全体構成説明図であり、Ａ図は組み立て前の重ね飾り餅の餅容器と飾り物・縁起物を斜視図で示した図、Ｂ図はジョイント部材で餅容器に飾り物・縁起物を取り付けた図を示す。例２は、重ね飾り餅の餅容器に飾り物・縁起物を取り付けるためのジョイント部材１に両面接着テープを使用した例である。
【００７９】
例１では、ゴム紐１０を餅容器１３へのジョイント部材１の取り付け手段として使用したが、例２では、このゴム紐１０の代わりとして両面接着テープ３０を使用する。なお、その他の構成は例１と同じなので詳細な説明は省略する。
【００８０】
図５に示したように、ジョイント部材１にはジョイント部材本体２を有し、このジョイント部材本体２の一方の端部に橙取付部３を設ける。また、ジョイント部材本体２の裏側（餅容器１３側となる部分）には、両面接着テープ３０を張り付ける。そして、ジョイント部材本体２の表側（餅容器１３と反対側となる部分）には、飾りもの・縁起物取付部５を設け、これら各部を、例えばＡＢＳ樹脂により一体的に形成する。
【００８１】
すなわち、例２では、重ね飾り餅１４の餅容器１３に飾り物・縁起物を取り付けるための重ね飾り餅用飾り物・縁起物ジョイント部材１は、ジョイント部材本体２を有し、ジョイント部材本体２の一方の端部に飾り物・縁起物の一つである飾り橙を取り付けるための橙取付部３を設け、橙取付部３には、飾り橙の底部に設けた複数（例えば、２つ）の嵌合孔２２と嵌合させるための複数（例えば、２つ）の突起７を一定間隔離して併設し、ジョイント部材本体２は、餅容器１３の外形形状に合わせて彎曲させ、餅容器１３と反対側の外側面の一部には、他の飾り物・縁起物を引っ掛けて取り付けるための飾り物・縁起物取付部５を設けると共に、ジョイント部材本体２の裏側であって餅容器１３と接する部分には両面接着テープ３０を張り付け、両面接着テープ３０によりジョイント部材本体２を餅容器１３の外側に張り付けて両者を固定できるようにしたものである。
【００８２】
§２：例２における各部の詳細な説明
(1) ：ジョイント部材１の説明
図６は例２のジョイント部材の説明図（その１）である。
【００８３】
ジョイント部材１は、重ね飾り餅の最上段の餅に対応した餅容器１３の部分に密着するように、彎曲して製作されている。そして、ジョイント部材１を両面接着テープ３０により餅容器１３に固定すると、餅容器１３に密着し、橙取付部３が最上段の餅に対応した餅容器１３の部分に位置するように構成されている。
【００８４】
従って、ジョイント部材１を重ね飾り餅の最上段の餅に対応した餅容器１３の部分に両面接着テープ３０で固定し、その状態で飾り橙の嵌合孔２２をジョイント部材１の突起７に圧入すれば、両者を容易に嵌合することができ（例１と同じ）、ジョイント部材１による飾り橙と餅容器１３とのジョイントが確実にできる。
【００８５】
(2) ：ジョイント部材を隠した状態の説明
図７は例２のジョイント部材の説明図（その２）であり、Ａ図は飾り海老を飾った状態の図、Ｂ図は御幣を飾った状態の図である。
【００８６】
前記のようにして、ジョイント部材１による飾り橙と餅容器１３とのジョイントを行い、その後、飾り海老２５の裏側に設けた孔をジョイント部材１に設けた飾り物・縁起物取付部５に引っ掛けると、図３のＡ図に示したようになり、外部からはジョイント部材１が飾り物・縁起物により隠されて殆ど見えなくなる。
【００８７】
また、飾り海老２５のかわりに、御幣２６に設けた孔をジョイント部材１に設けた飾り物・縁起物取付部５に引っ掛けると、図７のＢ図に示したようになり、外部からはジョイント部材１が殆ど見えなくなる。このようにして実質的に、ジョイント部材１を飾り物・縁起物により隠すことができる。
【００８８】
（飾り橙の説明）
飾り橙の構成は次の通りである。図１乃至図７に示したように、重ね飾り餅１４の餅容器１３に飾り物・縁起物を取り付けるための重ね飾り餅用飾り物・縁起物ジョイント部材１にジョイント部材本体２を有し、ジョイント部材本体２の一方の端部に飾り物・縁起物の一つである飾り橙を取り付けるための橙取付部３を設け、重ね飾り餅１４の餅容器１３にジョイント部材本体２をゴム紐１０又は両面接着テープ３０により取り付ける構成を有する。
【００８９】
そして、橙取付部３には、飾り橙に設けた複数（例えば、２つ）の嵌合孔２２と嵌合させるための複数（例えば、２つ）の突起を一定間隔離して併設した重ね飾り餅用飾り物・縁起物ジョイント部材を使用して重ね飾り餅の餅容器の上に載せて固定する飾り橙であって、中空状の飾り橙と、葉を模した葉部を突設させて枝柄を模した柄部とからなる蔕部材と、飾り橙本体の外側面に突設した連結突起に被さるように嵌め合わせる連結孔を柄部に、また飾り橙本体に開口形成した嵌合孔に嵌め入れる嵌入ピンを葉部にそれぞれ設けて成る連結手段とを備えると共に、飾り橙本体の底部に、ジョイント部材１の橙取付部３に設けた複数（例えば、２つ）の突起と嵌合させるための複数（例えば、２つ）の嵌合孔２２を設け、この嵌合孔２２の径を、ジョイント部材１の橙取付部３に設けた突起７の径より小さくする。
【００９０】
なお、前記飾り橙は、従来例１に示した飾り果実と同じ製作方法により、飾り橙に似せて製作したものを使用し、その飾り橙の底部に前記嵌合孔２２を設ける。従って、使用する材料や合成樹脂の製作方法は従来例１と同じなので更なる詳細な説明は省略する。
【図面の簡単な説明】
【００９１】
【図１】本発明の実施の形態における例１の全体構成説明図である。
【図２】本発明の実施の形態における例１のジョイント部材の説明図（その１）である。
【図３】本発明の実施の形態における例１のジョイント部材の説明図（その２）であり、Ａ図は飾り海老を飾った状態、Ｂ図は御幣を飾った状態である。
【図４】本発明の実施の形態における例１の各部の詳細構成図であり、Ａ図は詳細構成図１、Ｂ図は詳細構成図２、Ｃ図は詳細構成図３である。
【図５】本発明の実施の形態における例２の全体構成説明図である。
【図６】本発明の実施の形態における例２のジョイント部材の説明図（その１）である。
【図７】本発明の実施の形態における例２のジョイント部材の説明図（その２）であり、Ａ図は飾り海老を飾った状態、Ｂ図は御幣を飾った状態である。
【図８】従来例１の説明図（その１）である。
【図９】従来例１の説明図（その２）である。
【図１０】従来例１の説明図（その３）である。
【図１１】従来例２の説明図である。
【符号の説明】
【００９２】
１  ジョイント部材
２  ジョイント部材本体
３  橙取付部
４  ゴム紐取付部
５  飾り物・縁起物取付部
７  突起
８  溝
９  ゴム紐引掛部
１０  ゴム紐
１３  餅容器
１４  重ね飾り餅
１５  窪み
１８  飾り橙本体
２０  柄部
２１  葉部
２２  嵌合孔
２５  飾り海老
２６  御幣
３０  両面接着テープ
【図１】
2007185327.tif 000003
【図２】
2007185327.tif 000004
【図３】
2007185327.tif 000005
【図４】
2007185327.tif 000006
【図５】
2007185327.tif 000007
【図６】
2007185327.tif 000008
【図７】
2007185327.tif 000009
【図８】
2007185327.tif 000010
【図９】
2007185327.tif 000011
【図１０】
2007185327.tif 000012
【図１１】
2007185327.tif 000013